【手続補正書】
【提出日】平成16年6月2日(2004.6.2)
【手続補正１】
【補正対象書類名】明細書
【補正対象項目名】特許請求の範囲
【補正方法】変更
【補正の内容】
【特許請求の範囲】
【請求項１】
印刷装置が解釈可能な識別情報付き印刷データを生成する印刷制御装置において、
前記識別情報付き印刷データの印刷が設定されたか否かを判定する印刷設定判定手段と、
前記印刷設定判定手段により前記識別情報付き印刷データの印刷が設定されたと判定した場合、前記識別情報付き印刷データの印刷時に、前記印刷データに対応するユーザ名又は文書名を設定する設定画面を表示する表示手段と、
前記表示手段により表示された設定画面を介して入力されたユーザ名又は文書名を前記印刷データに設定する設定手段と、
前記設定手段によって前記ユーザ名又は文書名が設定された印刷データを印刷装置で印刷させるべく送出する送出手段と、
を有することを特徴とする印刷制御装置。
【請求項２】
前記表示手段は、前記識別情報付き印刷データの印刷時に、前記印刷データに対応する任意の識別情報を設定する設定画面を表示し、前記設定手段は、前記表示手段に表示された前記設定画面を介して入力された識別情報を前記印刷データに設定することを特徴とする請求項１に記載の印刷制御装置。
【請求項３】
前記印刷設定判定手段により前記識別情報付き印刷データの印刷が設定されたと判定した場合、前記印刷データに対応するユーザ名及び識別情報を設定する初期設定手段と、
前記印刷データから文書名を取得する文書名取得手段を更に有し、
前記表示手段は、前記初期設定手段により設定された前記ユーザ名及び前記識別情報、及び前記取得手段により取得した前記文書名を表示することを特徴とする請求項１又は２に記載の印刷制御装置。
【請求項４】
識別情報付き印刷データを生成する印刷制御装置と、前記印刷制御装置からの識別情報付き印刷データを受信して印刷を行う印刷装置とを有する印刷システムであって、
前記印刷制御装置は、
前記識別情報付き印刷データの印刷が設定されたか否かを判定する印刷設定判定手段と、
前記印刷設定判定手段により前記識別情報付き印刷データの印刷が設定されたと判定した場合、前記識別情報付き印刷データの印刷時に、前記印刷データに対応するユーザ名又は文書名を設定する設定画面を表示する表示手段と、
前記表示手段により表示された設定画面を介して入力されたユーザ名又は文書名を前記印刷データに設定する設定手段と、
前記設定手段により前記ユーザ名又は文書名が設定された印刷データを前記印刷装置で印刷させるべく送出する送出手段と、
を有することを特徴とする印刷システム。
【請求項５】
前記印刷装置は、前記印刷制御装置から受信した前記印刷データが識別情報が設定された印刷データであるか否かを判定する判定手段と、
前記判定手段において前記識別情報が設定された印刷データであると判定された場合、識別情報の入力を待機する入力待機手段と、
前記入力待機手段において入力されたと判定した場合、前記入力された識別情報が前記受信した前記印刷データに対応する識別情報と一致するか否かを判定する識別情報判定手段と、
前記識別情報判定手段により一致すると判定された場合、前記印刷データの印刷を実行する手段と、
を有することを特徴とする請求項４に記載の印刷システム。
【請求項６】
前記表示手段は、前記識別情報付き印刷データの印刷時に、前記印刷データに対応する任意の識別情報を設定する設定画面を表示し、前記設定手段は、前記表示手段に表示された前記設定画面を介して入力された識別情報を前記印刷データに設定することを特徴とする請求項４に記載の印刷システム。
【請求項７】
前記印刷設定判定手段により前記識別情報付き印刷データの印刷が設定されたと判定した場合、前記印刷データに対応するユーザ名及び識別情報を設定する初期設定手段と、
前記印刷データから文書名を取得する文書名取得手段を更に有し、
前記表示手段は、前記初期設定手段により設定された前記ユーザ名及び前記識別情報、及び前記取得手段により取得した前記文書名を表示することを特徴とする請求項４又は６に記載の印刷システム。
【請求項８】
印刷装置が解釈可能な識別情報付き印刷データを生成する印刷制御装置にける印刷制御方法であって、
前記識別情報付き印刷データの印刷が設定されたか否かを判定する印刷設定判定工程と、
前記印刷設定判定工程で前記識別情報付き印刷データの印刷が設定されたと判定した場合、前記識別情報付き印刷データの印刷時に、前記印刷データに対応するユーザ名又は文書名を設定する設定画面を表示する表示工程と、
前記表示工程で表示された設定画面を介して入力されたユーザ名又は文書名を前記印刷データに設定する設定工程と、
前記設定工程で前記ユーザ名又は文書名が設定された印刷データを印刷装置で印刷させるべく送出する送出工程と、
を有することを特徴とする印刷制御方法。
【請求項９】
前記表示工程では、前記識別情報付き印刷データの印刷時に、前記印刷データに対応する任意の識別情報を設定する設定画面を表示し、前記設定工程では、前記表示工程で表示された前記設定画面を介して入力された識別情報を前記印刷データに設定することを特徴とする請求項８に記載の印刷制御方法。
【請求項１０】
前記印刷設定判定工程で前記識別情報付き印刷データの印刷が設定されたと判定した場合、前記印刷データに対応するユーザ名及び識別情報を設定する初期設定工程と、
前記印刷データから文書名を取得する文書名取得工程を更に有し、
前記表示工程では、前記初期設定工程で設定された前記ユーザ名及び前記識別情報、及び前記取得工程で取得した前記文書名を表示することを特徴とする請求項８又は９に記載の印刷制御方法。
【請求項１１】
請求項８乃至１０のいずれか１項に記載の印刷制御方法を実行するプログラムを記憶したことを特徴とする、コンピュータにより読取可能な記憶媒体。
【手続補正２】
【補正対象書類名】明細書
【補正対象項目名】０００６
【補正方法】変更
【補正の内容】
【０００６】
【課題を解決するための手段】
上記目的を達成するために本発明の印刷制御装置は以下のような構成を備える。即ち、
印刷装置が解釈可能な識別情報付き印刷データを生成する印刷制御装置において、
前記識別情報付き印刷データの印刷が設定されたか否かを判定する印刷設定判定手段と、
前記印刷設定判定手段により前記識別情報付き印刷データの印刷が設定されたと判定した場合、前記識別情報付き印刷データの印刷時に、前記印刷データに対応するユーザ名又は文書名を設定する設定画面を表示する表示手段と、
前記表示手段により表示された設定画面を介して入力されたユーザ名又は文書名を前記印刷データに設定する設定手段と、
前記設定手段によって前記ユーザ名又は文書名が設定された印刷データを印刷装置で印刷させるべく送出する送出手段とを有することを特徴とする。
【手続補正３】
【補正対象書類名】明細書
【補正対象項目名】０００７
【補正方法】変更
【補正の内容】
【０００７】
上記目的を達成するために本発明の印刷制御方法は以下のような工程を備える。即ち、
印刷装置が解釈可能な識別情報付き印刷データを生成する印刷制御装置にける印刷制御方法であって、
前記識別情報付き印刷データの印刷が設定されたか否かを判定する印刷設定判定工程と、
前記印刷設定判定工程で前記識別情報付き印刷データの印刷が設定されたと判定した場合、前記識別情報付き印刷データの印刷時に、前記印刷データに対応するユーザ名又は文書名を設定する設定画面を表示する表示工程と、
前記表示工程で表示された設定画面を介して入力されたユーザ名又は文書名を前記印刷データに設定する設定工程と、
前記設定工程で前記ユーザ名又は文書名が設定された印刷データを印刷装置で印刷させるべく送出する送出工程とを有することを特徴とする。
【手続補正４】
【補正対象書類名】明細書
【補正対象項目名】０００８
【補正方法】変更
【補正の内容】
【０００８】
上記目的を達成するために本発明の印刷システムは以下のような構成を備える。即ち、
識別情報付き印刷データを生成する印刷制御装置と、前記印刷制御装置からの識別情報付き印刷データを受信して印刷を行う印刷装置とを有する印刷システムであって、
前記印刷制御装置は、
前記識別情報付き印刷データの印刷が設定されたか否かを判定する印刷設定判定手段と、
前記印刷設定判定手段により前記識別情報付き印刷データの印刷が設定されたと判定した場合、前記識別情報付き印刷データの印刷時に、前記印刷データに対応するユーザ名又は文書名を設定する設定画面を表示する表示手段と、
前記表示手段により表示された設定画面を介して入力されたユーザ名又は文書名を前記印刷データに設定する設定手段と、
前記設定手段により前記ユーザ名又は文書名が設定された印刷データを前記印刷装置で印刷させるべく送出する送出手段とを有することを特徴とする。